(57)【要約】【課題】  高い強度を実現し得る嵌入構造、及び、この嵌入構造を有するテーブルを提供する。【解決手段】  テーブル１は、かさ上げ脚１２を有する上部構造体１０と、上部構造体１０を支持する下部構造体１００とを備える。下部構造体１００は、かさ上げ脚１２の形状に対応した形状に形成された第一の嵌入部Ａと、第一の嵌入部Ａに嵌入されたかさ上げ脚１２を第一の高さ位置に保持させるダボ１２１〜１５１と、かさ上げ脚１２の形状に対応した形状に形成され、第一の嵌入部Ａとは異なる位置においてかさ上げ脚１２を嵌入可能な第二の嵌入部Ｂと、第二の嵌入部Ｂに嵌入されたかさ上げ脚１２を第二の高さ位置に保持させる第二の保持部（連結体１１０の上端面等）と、を備える。【選択図】  図１
2015054215.tif 000002
【特許請求の範囲】
【請求項１】
かさ上げ脚を有する上部構造体と、前記上部構造体の下方に配置されて前記上部構造体を支持する下部構造体とを備え、
前記下部構造体は、
前記かさ上げ脚の形状に対応した形状に形成されて前記かさ上げ脚を嵌入可能な第一の嵌入部と、
前記第一の嵌入部に嵌入された前記かさ上げ脚を第一の高さ位置に保持させる第一の保持部と、
前記かさ上げ脚の形状に対応した形状に形成され、前記第一の嵌入部とは異なる位置において前記かさ上げ脚を嵌入可能な第二の嵌入部と、
前記第二の嵌入部に嵌入された前記かさ上げ脚を前記第一の高さ位置よりも低い第二の高さ位置に保持させる第二の保持部と、
を備え、
前記第一の嵌入部に前記かさ上げ脚が嵌入された状態では、前記第一の保持部が前記上部構造体を前記第一の高さ位置に保持することによって前記上部構造体が高位に保たれ、
前記第二の嵌入部に前記かさ上げ脚が嵌入された状態では、前記第二の保持部が前記上部構造体を前記第二の高さ位置に保持することによって、前記第一の嵌入部に前記かさ上げ脚が嵌入された場合よりも前記上部構造体が低位に保たれる、嵌入構造。
【請求項２】
請求項１に記載の嵌入構造を有するテーブルであって、
前記上部構造体は、更に天板を有し、
前記かさ上げ脚は、前記天板の下面に設けられ、
前記下部構造体は、更に主脚を有し、
前記第一の嵌入部に前記かさ上げ脚が嵌入された状態では、前記第一の保持部が前記上部構造体を前記第一の高さ位置に保持することによって前記天板が高位に保たれ、
前記第二の嵌入部に前記かさ上げ脚が嵌入された状態では、前記第二の保持部が前記上部構造体を前記第二の高さ位置に保持することによって、前記第一の嵌入部に前記かさ上げ脚が嵌入された場合よりも前記天板が低位に保たれる、テーブル。
【請求項３】
前記かさ上げ脚は、前記天板の下面において互いに所定の隙間を開けて一対設けられ、
前記下部構造体は、四角枠形状を有する連結体を更に備え、
前記主脚は４本設けられるとともに前記連結体の四隅にそれぞれ内接され、
前記第一の嵌入部は、前記かさ上げ脚の幅寸法に対応した内法寸法を有する前記連結体の一方の互いに対向する２つの片と、４本の前記主脚とによって構成され、
前記第二の嵌入部は、前記かさ上げ脚の幅寸法に対応した内法寸法を有する前記連結体の他方の互いに対向する２つの片と、４本の前記主脚とによって構成される、請求項２に記載のテーブル。
【請求項４】
前記第一の保持部は、前記第一の嵌入部に嵌入された前記かさ上げ脚の下端面を支持することによって前記上部構造体を前記第一の高さ位置に保持する、請求項２又は３に記載のテーブル。
【請求項５】
前記第一の保持部は、前記主脚に設けられた複数の孔群の中から選択された孔に差し込まれたダボである、請求項４に記載のテーブル。
【請求項６】
前記第二の保持部は、前記第二の嵌入部に嵌入された前記かさ上げ脚の下端面を支持することによって前記上部構造体を前記第二の高さ位置に保持する、請求項２から５のいずれか一項に記載のテーブル。
【請求項７】
前記第二の保持部は、前記主脚に設けられた複数の孔群の中から選択された孔に差し込まれたダボである、請求項６に記載のテーブル。
【請求項８】
前記第二の保持部は、前記第二の嵌入部に前記かさ上げ脚が嵌入された状態で前記天板の下面を支持することによって前記上部構造体を前記第二の高さ位置に保持する、請求項２から５のいずれか一項に記載のテーブル。
【請求項９】
前記第二の保持部は、前記連結体の上端面及び４本の前記主脚の上端面のうち少なくともいずれかによって構成され、前記第二の嵌入部に前記かさ上げ脚が嵌入された状態で前記天板の下面を支持する、請求項３に記載のテーブル。
【請求項１０】
前記下部構造体は、
前記かさ上げ脚の形状に対応した形状に形成され、前記第一の嵌入部及び前記第二の嵌入部とは異なる位置において前記かさ上げ脚を嵌入可能な一以上の他の嵌入部と、
前記他の嵌入部に嵌入された前記かさ上げ脚を前記第一の高さ位置よりも低く且つ前記第二の高さ位置よりも高い高さ位置に保持する一以上の他の保持部と、
を更に有し、
前記他の嵌入部に前記かさ上げ脚が嵌入された状態では、前記他の保持部が前記かさ上げ脚を前記第一の高さ位置よりも低く且つ前記第二の高さ位置よりも高い高さ位置に保持することによって前記天板が中位に保たれる、請求項２に記載のテーブル。
【発明の詳細な説明】
【技術分野】
【０００１】
本発明は、嵌入構造、及び、高さを変更可能なテーブルに関する。
【背景技術】
【０００２】
従来、床面から天板までの高さを変更可能なテーブルとして、例えば特許文献１に記載されたものがある。特許文献１に記載されたテーブルは、天板と、地板と、天板に取り付けられた中間脚と、地板に取り付けられた中間脚とを備えている。このテーブルは、天板側の中間脚と地板側の中間脚との位置が一致するように天板と地板とを重ねることで、高さの高いテーブルとなる。また、天板側の中間脚と地板側の中間脚との位置をずらした状態で天板と地板とを重ねることで、高さの低いテーブルとなる。
【先行技術文献】
【特許文献】
【０００３】
【特許文献１】実用新案登録第３１４４４４４号公報
【発明の概要】
【発明が解決しようとする課題】
【０００４】
特許文献１に記載されたテーブルにおいて、天板側の中間脚と地板側の中間脚との位置ずれ等を防止するためにジョイナーが別途必要となる。このジョイナーに水平力が集中するため、強度上の問題がある。
【０００５】
そこで、本発明は、高い強度を実現し得る嵌入構造、及び、この嵌入構造を有するテーブルを提供することを目的とする。
【課題を解決するための手段】
【０００６】
本発明の一側面に係る脚部の嵌入構造は、かさ上げ脚を有する上部構造体と、上部構造体の下方に配置されて上部構造体を支持する下部構造体とを備え、下部構造体は、かさ上げ脚の形状に対応した形状に形成されてかさ上げ脚を嵌入可能な第一の嵌入部と、第一の嵌入部に嵌入されたかさ上げ脚を第一の高さ位置に保持させる第一の保持部と、かさ上げ脚の形状に対応した形状に形成され、第一の嵌入部とは異なる位置においてかさ上げ脚を嵌入可能な第二の嵌入部と、第二の嵌入部に嵌入されたかさ上げ脚を第一の高さ位置よりも低い第二の高さ位置に保持させる第二の保持部と、を備え、第一の嵌入部にかさ上げ脚が嵌入された状態では、第一の保持部が上部構造体を第一の高さ位置に保持することによって上部構造体が高位に保たれ、第二の嵌入部にかさ上げ脚が嵌入された状態では、第二の保持部が上部構造体を第二の高さ位置に保持することによって、第一の嵌入部にかさ上げ脚が嵌入された場合よりも上部構造体が低位に保たれる。
【０００７】
この嵌入構造では、かさ上げ脚を第一の嵌入部又は第二の嵌入部に嵌め込むだけで、上部構造体の高さを変更することができる。また、第一の嵌入部及び第二の嵌入部は、それぞれ、かさ上げ脚の形状に対応した形状を有している。これにより、下部構造体は、上部構造体を水平方向の位置がずれることなく保持することができる。このように、別の固定手段を用いることなく、かさ上げ脚を第一の嵌入部又は第二の嵌入部に嵌入させるだけで、下部構造体によって上部構造体の水平方向の位置を高い強度で保持することができる。
【０００８】
上記の嵌入構造を有するテーブルであって、上部構造体は、更に天板を有し、かさ上げ脚は、天板の下面に設けられ、下部構造体は、更に主脚を有し、第一の嵌入部にかさ上げ脚が嵌入された状態では、第一の保持部が上部構造体を第一の高さ位置に保持することによって天板が高位に保たれ、第二の嵌入部にかさ上げ脚が嵌入された状態では、第二の保持部が上部構造体を第二の高さ位置に保持することによって、第一の嵌入部にかさ上げ脚が嵌入された場合よりも天板が低位に保たれる。このテーブルにおいては、かさ上げ脚を第一の嵌入部又は第二の嵌入部に嵌入させるだけで、天板の高さを変えることができる。また、上述したように、別の固定手段を用いることなく、かさ上げ脚を第一の嵌入部又は第二の嵌入部に嵌入させるだけで、下部構造体によって天板の水平方向の位置を高い強度で保持することができる。
【０００９】
かさ上げ脚は、天板の下面において互いに所定の隙間を開けて一対設けられ、下部構造体は、四角枠形状を有する連結体を更に備え、主脚は４本設けられるとともに連結体の四隅にそれぞれ内接され、第一の嵌入部は、かさ上げ脚の幅寸法に対応した内法寸法を有する連結体の一方の互いに対向する２つの片と、４本の主脚とによって構成され、第二の嵌入部は、かさ上げ脚の幅寸法に対応した内法寸法を有する連結体の他方の互いに対向する２つの片と、４本の主脚とによって構成されていてもよい。この場合には、連結体の枠内に、第一の嵌入部及び第二の嵌入部が設けられる。このように、連結体と主脚とによって、第一の嵌入部及び第二の嵌入部を簡素な構成で形成することができる。
【００１０】
第一の保持部は、第一の嵌入部に嵌入されたかさ上げ脚の下端面を支持することによって上部構造体を第一の高さ位置に保持してもよい。この場合には、第一の保持部にかさ上げ脚の下端面を当接させることによって容易かつ確実に天板の高さを保持することができる。
【００１１】
第一の保持部は、主脚に設けられた複数の孔群の中から選択された孔に差し込まれたダボであってもよい。この場合には、かさ上げ脚が第一の嵌入部に嵌入された状態であっても、ダボの位置を変更するだけで、天板の高さを更に変更することができる。
【００１２】
第二の保持部は、第二の嵌入部に嵌入されたかさ上げ脚の下端面を支持することによって上部構造体を第二の高さ位置に保持してもよい。この場合には、第二の保持部にかさ上げ脚の下端面を当接させることによって容易かつ確実に天板の高さを保持することができる。
【００１３】
第二の保持部は、主脚に設けられた複数の孔群の中から選択された孔に差し込まれたダボであってもよい。この場合には、かさ上げ脚が第二の嵌入部に嵌入された状態であっても、ダボの位置を変更するだけで、天板の高さを更に変更することができる。
【００１４】
第二の保持部は、第二の嵌入部にかさ上げ脚が嵌入された状態で天板の下面を支持することによって上部構造体を第二の高さ位置に保持してもよい。この場合には、天板の下面を保持することによって天板の高さを容易に保持することができる。
【００１５】
第二の保持部は、連結体の上端面及び４本の主脚の上端面のうち少なくともいずれかによって構成され、第二の嵌入部にかさ上げ脚が嵌入された状態で天板の下面を支持していてもよい。この場合には、天板の下面を連結体の上端面及び４本の主脚の上端面のうち少なくともいずれかに載置することで、天板の高さを容易かつ確実に保持することができる。
【００１６】
下部構造体は、かさ上げ脚の形状に対応した形状に形成され、第一の嵌入部及び第二の嵌入部とは異なる位置においてかさ上げ脚を嵌入可能な一以上の他の嵌入部と、他の嵌入部に嵌入されたかさ上げ脚を第一の高さ位置よりも低く且つ第二の高さ位置よりも高い高さ位置に保持する一以上の他の保持部と、を更に有し、他の嵌入部にかさ上げ脚が嵌入された状態では、他の保持部がかさ上げ脚を第一の高さ位置よりも低く且つ第二の高さ位置よりも高い高さ位置に保持することによって天板が中位に保たれたものであってもよい。このように他の嵌入部及び他の保持部を更に備えることで、天板の高さを更に異なる位置で保持することができる。
【発明の効果】
【００１７】
本発明の一側面によれば、高い強度を実現し得る嵌入構造を提供できる。また、本発明の他の一側面によれば、一側面に係る嵌入構造を有するテーブルを提供できる。
【図面の簡単な説明】
【００１８】
【図１】一実施形態に係るテーブルを高位とした場合の斜視図である。
【図２】図１に示す上部構造体を下面側から見た斜視図である。
【図３】図１に示す下部構造体の上面図である。
【図４】図１に示すテーブルの天板を高位とした場合の側面図である。
【図５】図１に示すテーブルの天板を高位とした場合の他の側面図である。
【図６】図４のＶＩ−ＶＩ線に沿った断面図である。
【図７】図１に示すテーブルの天板を低位とした場合の側面図である。
【図８】図１に示すテーブルの天板を低位とした場合の他の側面図である。
【図９】図７のＩＸ−ＩＸ線に沿った断面図である。
【図１０】変形例におけるダボの取り付け構造を示す斜視図である。
【図１１】他の変形例における第一の嵌入部及び第二の嵌入部を示す斜視図である。
【図１２】他の変形例において第一の嵌入部にかさ上げ脚を嵌入させた状態を示す断面図である。
【図１３】他の変形例において第二の嵌入部にかさ上げ脚を嵌入させた状態を示す断面図である。
【発明を実施するための形態】
【００１９】
以下、本発明の一実施形態について図面を参照しながら説明する。なお、図面の説明において同一の要素には同一の符号を付し、重複する説明を省略する。
【００２０】
図１に示すように、テーブル１は、上部構造体１０、及び、下部構造体１００を含んで構成される。下部構造体１００は、上部構造体１０の下方に配置されて上部構造体１０を支持する。上部構造体１０と下部構造体１００とは、互いに分離可能である。下部構造体１００は上部構造体１０を異なる高さ位置で保持可能となっている。これにより、テーブル１の天板１１の高さを変更することができる。
【００２１】
まず、上部構造体１０について説明する。図１及び図２に示すように、上部構造体１０は、天板１１、一対のかさ上げ脚１２、及び、一対の補強部材１３を含んで構成される。天板１１は、本実施形態においては四角形状を有している。かさ上げ脚１２は、長方形状を有する板材である。かさ上げ脚１２は、長手側の側面が天板１１の下面に当接した状態で天板１１に固定される。なお、一対のかさ上げ脚１２は、互いに所定の隙間を開けて互いに平行となるように配置されている。
【００２２】
かさ上げ脚１２の下部において長手方向の中央部には切欠き部１２ｂが設けられている。これにより、かさ上げ脚１２の下部には、長手方向の両端部にそれぞれ下方に向けて突出する脚部１２ａが形成される。一対のかさ上げ脚１２において、長手方向の両端部間にはそれぞれ補強部材１３が連結されている。補強部材１３は、天板１１の下面にも固定されている。これにより、かさ上げ脚１２が天板１１の下面に対して倒れ込むことを防止できる。
【００２３】
次に、下部構造体１００について説明する。図１及び図３に示すように、下部構造体１００は、連結体１１０、４本の主脚１２０，１３０，１４０，１５０、及び、持ち手１６０を含んで構成されている。連結体１１０は、四角枠形状を有しており、互に対向する一対の第一の片１１０ａと、互いに対向する一対の第二の片１１０ｂとにより構成されている。持ち手１６０は、平面視でコ字状に形成されている。持ち手１６０の両端部は、一対の第一の片１１０ａのうちの一方の第一の片１１０ａの外側面に取り付けられている。
【００２４】
４つの主脚１２０〜１５０は、連結体１１０の四隅にそれぞれ内接されている。４つの主脚１２０〜１５０の上端面と、連結体１１０の上端面とは一致している。ここで、連結体１１０の四隅のうち、持ち手１６０に近い側の隅部に主脚１３０及び主脚１５０が内接され、持ち手１６０から離れた側の隅部に主脚１２０及び主脚１４０が内接されている。持ち手１６０から離れた側の主脚１２０及び主脚１４０の下端には、キャスター１２５及び１４５（図５参照）が取り付けられている。
【００２５】
下部構造体１００には、上部構造体１０のかさ上げ脚１２が嵌入可能な第一の嵌入部Ａと、上部構造体１０を鉛直軸まわりに回転させ第一の嵌入部Ａとは異なる向きでかさ上げ脚１２が嵌入可能な第二の嵌入部Ｂとが形成されている。第一の嵌入部Ａ及び第二の嵌入部Ｂは、それぞれ一対のかさ上げ脚１２の形状に対応した形状に形成されている。
【００２６】
より詳細には、第一の嵌入部Ａは、一対の第一の片１１０ａのそれぞれの内側面と、主脚１２０における主脚１４０側の側面１２０ａと、主脚１３０における主脚１５０側の側面１３０ａと、主脚１４０における主脚１２０側の側面１４０ａと、主脚１５０における主脚１３０側の側面１５０ａとによって構成されている。
【００２７】
一対の第一の片１１０ａ間の内法寸法は、かさ上げ脚１２の幅寸法（平面視で長手方向の寸法）に対応している。また、主脚１２０と主脚１４０との間の内法寸法は、一対のかさ上げ脚１２におけるかさ上げ脚１２の並び方向における外法寸法に対応している。主脚１３０と主脚１５０との間の内法寸法は、一対のかさ上げ脚１２におけるかさ上げ脚１２の並び方向における外法寸法に対応している。これにより、第一の片１１０ａの長手方向とかさ上げ脚１２の長手方向とが直交する状態で、第一の嵌入部Ａ内にかさ上げ脚１２をガタつきなく嵌入（図３及び図６参照）させることができる。
【００２８】
第二の嵌入部Ｂは、一対の第二の片１１０ｂのそれぞれの内側面と、主脚１２０における主脚１３０側の側面１２０ｂと、主脚１３０における主脚１２０側の側面１３０ｂと、主脚１４０における主脚１５０側の側面１４０ｂと、主脚１５０における主脚１４０側の側面１５０ｂとによって構成されている。
【００２９】
一対の第二の片１１０ｂ間の内法寸法は、かさ上げ脚１２の幅寸法（平面視で長手方向の寸法）に対応している。また、主脚１２０と主脚１３０との間の内法寸法は、一対のかさ上げ脚１２におけるかさ上げ脚１２の並び方向における外法寸法に対応している。主脚１４０と主脚１５０との間の内法寸法は、一対のかさ上げ脚１２におけるかさ上げ脚１２の並び方向における外法寸法に対応している。これにより、第二の片１１０ｂの長手方向とかさ上げ脚１２の長手方向とが直交する状態で、第一の嵌入部Ａ内にかさ上げ脚１２をガタつきなく嵌入（図３及び図９参照）させることができる。
【００３０】
主脚１２０の側面１２０ａには、ダボ（第一の保持部）１２１が取り付けられている。同様に、主脚１３０の側面１３０ａ、主脚１４０の側面１４０ａ及び主脚１５０の側面１５０ａには、それぞれダボ（第一の保持部）１３１，１４１及び１５１が取り付けられている。即ち、４つのダボ１２１〜１５１は、それぞれ第一の嵌入部Ａ内側に突出している。ダボ１２１〜１５１は、連結体１１０の上端面から所定長さ下方側の位置に設けられている。
【００３１】
次に、上部構造体１０のかさ上げ脚１２が第一の嵌入部Ａに嵌入された状態について説明する。図４から図６に示すように、かさ上げ脚１２は、上述したように、第一の片１１０ａの長手方向とかさ上げ脚１２の長手方向とが直交する状態で、第一の嵌入部Ａ内に嵌入される。このとき、４つのダボ１２１〜１５１によって、かさ上げ脚１２の脚部１２ａの下端面が支持される。このように、４つのダボ１２１〜１５１が設けられていることにより、天板１１が第一の高さ位置で保持される。即ち、天板１１が下部構造体１００に対して上側に突出する高位の状態で天板１１が保持される。
【００３２】
次に、上部構造体１０のかさ上げ脚１２が第二の嵌入部Ｂに嵌入された状態について説明する。図７から図９に示すように、かさ上げ脚１２は、上述したように、第二の片１１０ｂの長手方向とかさ上げ脚１２の長手方向とが直交する状態で、第二の嵌入部Ｂ内に嵌入される。第二の嵌入部Ｂ内にはダボ１２１等が突出していないため、かさ上げ脚１２は第二の嵌入部Ｂ内の奥深くまで嵌入される。天板１１の大きさが連結体１１０よりも大きいため、連結体１１０の上端面及び主脚１２０〜１５０の上端面（第二の保持部）に天板１１の下面が当接し、連結体１１０の上端面及び主脚１２０〜１５０の上端面によって天板１１が第二の高さ位置で保持される。即ち、天板１１が下部構造体１００等の上端面に載置される低位の状態で天板１１が保持される。
【００３３】
持ち手１６０は、テーブル１を移動させる際に用いるものである。テーブル１の移動の際には、持ち手１６０を把持して持ち手１６０が設けられている側の主脚１３０及び１５０を持ち上げることで、キャスター１２５及び１４５のみが床に接することとなる。この状態でキャスター１２５及び１４５を転がすことにより、テーブル１を容易に移動させることができる。
【００３４】
このように、第二の嵌入部Ｂに嵌入された状態の上部構造体１０は、第一の嵌入部Ａに嵌入された状態の上部構造体１０を四角形状の天板１１の中心の鉛直軸まわりに９０度回転させた状態となっている。
【００３５】
本実施形態は以上のように構成され、このテーブル１においては、かさ上げ脚１２の向き（角度）を変えてかさ上げ脚１２を第一の嵌入部Ａ又は第二の嵌入部Ｂに嵌め込むだけで、上部構造体１０の天板１１の高さを変更することができる。また、第一の嵌入部Ａ及び第二の嵌入部Ｂは、それぞれ、かさ上げ脚１２の形状に対応した形状を有している。これにより、下部構造体１００は、天板１１を水平方向の位置がずれることなく保持することができる。このように、別の固定手段を用いることなく、かさ上げ脚１２を第一の嵌入部Ａ又は第二の嵌入部Ｂに嵌入させるだけで、天板１１の高さを変更することができるとともに、下部構造体１００によって天板１１の水平方向の位置を高い強度で保持することができる。
【００３６】
連結体１１０の内法寸法及び各主脚１２０〜１５０間の内法寸法をかさ上げ脚１２の形状に対応させることにより、連結体１１０及び４つの主脚１２０〜１５０を用いて簡素な構成で第一の嵌入部Ａ及び第二の嵌入部Ｂを形成することができる。
【００３７】
第一の嵌入部Ａ内にかさ上げ脚１２が嵌入されている場合、ダボ１２１〜１５１にかさ上げ脚１２の脚部１２ａの下端面を当接させることによって、容易かつ確実に天板１１の高さを保持することができる。
【００３８】
第二の嵌入部Ｂにかさ上げ脚１２が嵌入されている場合、連結体１１０の上端面及び４つの主脚１２０〜１５０の上端面に天板１１の下面を当接させることによって、天板１１の高さを容易かつ確実に保持することができる。
【００３９】
以上、本発明の一実施形態について説明したが、本発明は、上記実施形態に限定されるものではない。例えば、実施形態において、第二の嵌入部Ｂには、上部構造体１０を鉛直軸まわりに回転させ第一の嵌入部Ａとは異なる向きでかさ上げ脚１２が嵌入可能な構成としたが、上部構造体１０を回転させることに限定されず、第二の嵌入部Ｂには、第一の嵌入部Ａとは例えば水平方向の位置がずれた状態でかさ上げ脚１２が嵌入可能な構成等としてもよい。
【００４０】
また、図１０に示すように、主脚１４０の側面１４０ａに、上下方向に沿って複数の孔１４２を設け、選択された孔１４２にダボ１４１を差し込んでもよい。主脚１２０，１３０及び１５０についても上下方向に沿って複数の孔を設け、選択された孔にダボ１２１，１３１及び１５１をそれぞれ差し込んでもよい。この場合には、第一の嵌入部Ａにかさ上げ脚１２が嵌入された際に、かさ上げ脚１２の脚部１２ａの下端面を更に所定の高さで支持することができる。従って、かさ上げ脚１２が第一の嵌入部Ａに嵌入された状態での天板１１の高さを更に微調整することができる。
【００４１】
上記実施形態では、第二の嵌入部Ｂにかさ上げ脚１２を嵌入させた場合には、連結体１１０等の上端面に天板１１の下面を当接させるものとしたが、主脚１２０の側面１２０ｂ等にダボを設けて、ダボによりかさ上げ脚１２の脚部１２ａの下端面を支持してもよい。第二の嵌入部Ｂに嵌入されたかさ上げ脚１２を、ダボを用いて支持する場合にも、主脚１２０等の側面に複数の孔を設け、選択された孔にダボを差し込んでかさ上げ脚１２を支持してもよい。この場合には、かさ上げ脚１２が第二の嵌入部Ｂに嵌入された状態での天板１１の高さを更に微調整することができる。
【００４２】
また、ダボ１２１等を用いずに、主脚１２０等にそれぞれ設けられた溝にかさ上げ脚１２を嵌め込むことでかさ上げ脚１２を保持してもよい。具体的には、図１１に示すテーブル１Ａのように、主脚１４０の主脚１２０側の側面１４０ａに、主脚１４０の上端から下方側に向かって所定長さの第一の溝１４３を設ける。また、主脚１４０の主脚１５０側の側面１４０ｂに、主脚１４０の上端から下方側に向かって第一の溝１４３よりも長さの長い第二の溝１４４を設ける。同様に、主脚１２０，１３０及び１５０にも、図１２に示すように、第一の溝１２３，１３３及び１５３と第二の溝１２４，１３４及び１５４とをそれぞれ設ける。
【００４３】
なお、第一の溝１２３〜１５３の溝幅、及び、第二の溝１２４〜１５４の溝幅は、かさ上げ脚１２の板厚に対応している。また、互いに対向する第一の溝１２３の底面と第一の溝１４３の底面との間の長さは、かさ上げ脚１２の長手方向の長さに対応している。同様に、第一の溝１３３の底面と第一の溝１５３の底面との間の長さ、第二の溝１２４の底面と第二の溝１３４の底面との間の長さ、及び、第二の溝１４４の底面と第二の溝１５４の底面との間の長さは、それぞれ、かさ上げ脚１２の長手方向の長さに対応している。
【００４４】
ここでは、主脚１２０等の上端面からの長さが短い第一の溝１２３，１３３，１４３及び１５３によって第一の嵌入部Ａが構成される。また、主脚１２０等の上端面からの長さが長い第二の溝１２４，１３４，１４４及び１５４によって第二の嵌入部Ｂが構成される。
【００４５】
図１２に示すように、かさ上げ脚１２を第一の嵌入部Ａに嵌入させた状態では、天板１１が高位の位置で保持される。また、図１３に示すように、かさ上げ脚１２を第二の嵌入部Ｂに嵌入させた状態では、第一の嵌入部Ａにかさ上げ脚１２を嵌入させた場合よりも低位の位置で天板１１が保持される。このように、主脚１２０等に上端からの長さの異なる溝（第一の溝１２３、第二の溝１２４等）を設けて第一の嵌入部Ａ及び第二の嵌入部Ｂを形成することで、天板１１の高さを変更することができるとともに、下部構造体１００によって天板１１の水平方向の位置を高い強度で保持することができる。
【００４６】
また、上記実施形態及び変形例では、上部構造体１０を９０度回転させて第一の嵌入部Ａ又は第二の嵌入部Ｂに嵌め込むことにより、天板１１の高さを２段階に変更できる構成としたが、更に他の嵌入部及び他の保持部（ダボ等）をそれぞれ一以上設け、天板１１の高さを３段階以上（例えば、高位、中位、低位等）に変更できるようにしてもよい。例えば、上部構造体１０を水平面内で軸回転させたときに所定の回転角毎に嵌入可能な嵌入部を複数設けることにより、天板１１の３段階以上の高さ調節が可能なテーブルを実現することができる。
【００４７】
第一の嵌入部Ａ及び第二の嵌入部Ｂを連結体１１０及び４つの主脚１２０〜１５０によって形成するものとしたが、これら以外の他の部材によって嵌入部を形成してもよい。連結体１１０は、四角枠形状を有するものとしたが、第一の嵌入部Ａ及び第二の嵌入部Ｂが形成可能であれば、他の形状であってもよい。
【００４８】
また、一対のかさ上げ脚１２の上端を補強部材１３によって互いに連結するものとしたが、補強部材１３を設けることは必須ではない。
【００４９】
また、上記実施形態及び変形例では、第一の嵌入部Ａ又は第二の嵌入部Ｂにかさ上げ脚１２を嵌入する嵌入構造をテーブル１，１Ａに適用した例を示したが、例えば、高さを変更可能なイスなど、テーブル１，１Ａ以外のものに適用することもできる。
【符号の説明】
【００５０】
１，１Ａ…テーブル、１０…上部構造体、１１…天板、１２…かさ上げ脚、１００…下部構造体、１１０…連結体、１２０，１３０，１４０，１５０…主脚、１２１，１３１，１４１，１５１…ダボ（第一の保持部）、Ａ…第一の嵌入部、Ｂ…第二の嵌入部。
【図１】
2015054215.tif 000003
【図２】
2015054215.tif 000004
【図３】
2015054215.tif 000005
【図４】
2015054215.tif 000006
【図５】
2015054215.tif 000007
【図６】
2015054215.tif 000008
【図７】
2015054215.tif 000009
【図８】
2015054215.tif 000010
【図９】
2015054215.tif 000011
【図１０】
2015054215.tif 000012
【図１１】
2015054215.tif 000013
【図１２】
2015054215.tif 000014
【図１３】
2015054215.tif 000015